(57)【特許請求の範囲】
【請求項１】
ＬＥＤ照光透過型自照キートップであって、
該キートップの天面に形成された地色部と、
第１の機能名称を前記地色部に抜き部で形成して表示した第１の機能名称表示部と、
第２の機能名称を前記地色部の表面上に表示した第２の機能名称表示部を有し、
前記地色部は該キートップの材料の色に近い色を有して、
前記抜き部は、前記ＬＥＤが点灯したときには前記ＬＥＤの照光を透過させて前記地色部に対し目立ち、前記ＬＥＤが消灯したときには該キートップに対しコントラストが小さくて目立ち難く、
前記地色部の表面上の表示は、前記地色部に対し暗色に形成されて、
ＬＥＤが点灯したときにはＬＥＤ照光のバックフラッシュ効果で前記地色部に対し目立ち難く、前記ＬＥＤが消灯したときには前記地色部に対し目立ちやすい
ことを特徴とするＬＥＤ照光透過型自照キートップ。
【請求項２】
前記第１の機能名称表示部及び前記第２の機能名称表示部は、前記ＬＥＤの照光時と非照光時にそれぞれ対応して異なる機能名称を表示したものであることを特徴とする請求項１に記載のＬＥＤ照光透過型自照キートップ。
【発明の詳細な説明】
【０００１】
【発明の属する技術分野】
本発明は、ＬＥＤ照光自照キートップに関するものである。
【０００２】
【従来の技術】
この種のキートップは、図５に示すような電子機器装置１０の操作パネル１１に配列されたキートップ群１２として用いられている。
従来、この種のキートップでは、図６に示すように、天面１７に表示される二つのモードの操作表示の一つは「ＬＥＤが照光していないときの無照光時表示１４ａとして機能Ｆ１」であり、これと区別して「ＬＥＤが照光しているときの照光時表示１４ｂとして機能Ｆ２」はキートップ１３を配置した操作パネル１１上で対応するキートップ１３の直近の位置に表示されており、その機能名称文字表記（Ｆ２）の先頭に図示されているようなＬＥＤ照光記号１５を付けることで区別し、ＬＥＤが照光中であるか否かによりどちらのモード（Ｆ２かＦ１）にあるのかを判別させていた。
【０００３】
【発明が解決しようとする課題】
しかし、このような表示では使用者が直感的にキー押下でどちらのモードに入るのかが分かりにくく、紛らわしい操作認識を使用者に強要することになっていた。
【０００４】
本発明は、一つのキーに二つの機能を割り付け、ＬＥＤ照光時と非照光時で機能振り分けを行うときに、押下時にどちらの機能が選択されるのかを直感的にわかる操作表示を可能にするＬＥＤ照光通過型自照キートップを提供するものである。
【０００５】
【課題を解決するための手段】
この目的を達成するために、本発明によるＬＥＤ照光透過型自照キートップは、該キートップの天面に形成された地色部と、第１の機能名称を地色部に抜き部で形成して表示した第１の機能名称表示部と、第２の機能名称を地色部の表面上に表示した第２の機能名称表示部を有し、地色部は該キートップの材料の色に近い色を有して、抜き部は、ＬＥＤが点灯したときにはＬＥＤの照光を透過させて地色部に対し目立ち、ＬＥＤが消灯したときには該キートップに対しコントラストが小さくて目立ち難く、地色部の表面上の表示は、地色部に対し暗色に形成されて、ＬＥＤが点灯したときにはＬＥＤ照光のバックフラッシュ効果で地色部に対し目立ち難く、ＬＥＤが消灯したときには地色部に対し目立ちやすいことを特徴とする構成を有している。
【０００６】
【発明の実施の形態】
本発明においては、ＬＥＤ自照式ラバーキー（乳白半透過ラバー，ＬＥＤチップ）構造において、図１，図２に示すように、キートップ１３の天面１７に次の二つの表示をする。ここで、図１はキートップ部の平面図（ａ），縦断面図（ｂ），横断面図を示し、図２はキートップの天面における表示文字印刷部の拡大図である。
▲１▼「Ｆ２」文字印刷抜き部１：
キートップ１３への表示印刷文字を抜き文字とし文字周辺エリアをキートップ材質（半透過乳白色）に近い色に調整することにより、ＬＥＤ非照光時には文字の輪郭が目立たず、表記文字「Ｆ２」が認識されないが、これをＬＥＤ照光したときに、ＬＥＤ１６の照光で印刷抜き部の文字「Ｆ２」のシルエットが黒く浮き上がり、抜き文字「Ｆ２」からもれる照光で文字「Ｆ２」が明確に認識される部分である。
【０００７】
▲２▼「Ｆ１」文字印刷部２：
ＬＥＤ非照光時において表示文字「Ｆ１」が目立つダークグレイ系のインクで文字部「Ｆ１」のみを印刷したもので、ＬＥＤが照光したときには、バックフラッシュ効果で細い文字「Ｆ１」が目立たなくなる部分である。
なお、図１において、１８はキートップ底面、２０はキートップラバである。上記▲１▼，▲２▼の構造を持つ文字表示部を印刷工程によりキートップ部に設置する。
【０００８】
本発明によるキートップ１３の天面１７には、このように機能を示す文字が印刷されているために、ＬＥＤの点灯していないときと点灯しているときとで、次のように見えることになる。
（ａ）ＬＥＤが点灯していないとき〔図３（ａ）〕
▲１▼  濃く印刷された文字「Ｆ１」は目立つ。
▲２▼  抜き文字「Ｆ２」はほとんど目立たない。
▲３▼  地色印刷部３はキー本体との色のコントラストが少なく目立たない。
（ｂ）ＬＥＤが点灯しているとき〔図３（ｂ）〕
▲１▼  文字「Ｆ１」は、地色とのコントラストが少なくなり目立たない。
▲２▼  文字「Ｆ２」は、ＬＥＤの光が透過するために、目立って見える。
▲３▼  地色はＬＥＤの光でハレーションを起こし濃い色に見える。
このように、本発明によるキートップは、ＬＥＤの照光時と非照光時で、２つの操作表記文字の目立ち方に大きな差異が生じることで、どちらの機能モードが選択されるのかを明確に表示することができる。
【０００９】
図４は、本発明によるキートップを用いたキーの接点構造を説明するための斜視図であり、キートップラバ２０は図１（ｂ）（ｃ）に示すように操作パネル１１上に設けられるが、図４では分かり易く表示するために、キートップラバ２０は操作パネル１１から距離Ｄだけ離してある。実際には、キートップラバ２０が操作パネル１１上に設置された状態でキートップ１３が操作パネル１１の方向に押されたとき、キートップ底面１９が操作パネル１１側カーボン接点１９に接触し、その対向接点１９ａ，１９ｂ間が「接」になり、この接点１９ａ，１９ｂを含む直流回路が形成され、該当するキーがオンになる。
【００１０】
【発明の効果】
以上詳細に説明したように、本発明によるＬＥＤ照光透過型自照キートップは、一つのキーに複数の機能を割り付け、キー押下時に選択される機能を瞬時に使用者に判断させる必要がある機器操作において、直感的な操作状況の判断が可能となる操作表示となるので、使用者の操作ストレスの軽減と誤操作の防止に有効である。
【図面の簡単な説明】
【図１】本発明によるキートップの実施例を示す正面図（ａ），縦断面図（ｂ），横断面図である。
【図２】本発明によるキートップの実施例の部分拡大詳細断面図である。
【図３】本発明によるキートップの使用態様を説明するための正面図（ａ）（ｂ）である。
【図４】本発明によるキートップを用いたキーの接点構造を説明するための斜視図である。
【図５】本発明を適用する装置例を示す斜視図である。
【図６】従来のキートップにおける文字表示例を示す正面略図である。
【符号の説明】
１  「Ｆ２」文字印刷抜き部
２  「Ｆ１」文字印刷部
３  地色印刷部
１０  電子機器
１１  操作パネル
１２  キートップ群
１３  キートップ
１４ａ  無照光時表示
１４ｂ  照光時表示
１５  ＬＥＤ照光記号
１６  ＬＥＤ
１７  天面
１８  キートップ底面
１９  操作パネル側カーボン接点
１９ａ，１９ｂ  接点
２０  キートップラバ
【図１】
0003952152.tif 000002
【図２】
0003952152.tif 000003
【図３】
0003952152.tif 000004
【図４】
0003952152.tif 000005
【図５】
0003952152.tif 000006
【図６】
0003952152.tif 000007